(57)【要約】【課題】スポンジ等の管路洗浄用移動体が詰まった位置を容易に特定することができる管路洗浄用移動体及び管路の洗浄方法の提供。【解決手段】本発明に係る管路の洗浄方法は、管路１内に挿入した管路洗浄用移動体２を移動させ、管路１内の残留物６を管路洗浄用移動体２で管路１の端部開口から押し出す際に、管路洗浄用移動体２に音又は振動を発生させる発信手段５を内蔵し、発信手段５より発せられた音又は振動によって管路１内の管路洗浄用移動体２の位置を検知できるようにしている。【選択図】図３
2018161610.tif 000002
【特許請求の範囲】
【請求項１】
管路内を移動し、前記管路内の残留物を管路の端部開口から押し出すための管路洗浄用移動体において、
移動体本体内に音又は振動を発生させる発信手段を備えたことを特徴とする管路洗浄用移動体。
【請求項２】
移動体本体内にカプセルを備え、該カプセルには、前記発信手段と、該発信手段を駆動させる駆動電源が収容されている請求項１に記載の管路洗浄用移動体。
【請求項３】
管路内に挿入した管路洗浄用移動体を移動させ、前記管路内の残留物を前記管路洗浄用移動体で管路の端部開口から押し出す管路の洗浄方法において、
前記管路洗浄用移動体に音又は振動を発生させる発信手段を内蔵し、該発信手段より発せられた音又は振動によって前記管路内の前記管路洗浄用移動体の位置を検知できるようにしたことを特徴とする管路の洗浄方法。
【発明の詳細な説明】
【技術分野】
【０００１】
本発明は、主にコンクリート、モルタル、セメントミルク、薬液注入用固化材等の時間の経過とともに固化する材料を圧送する際に使用する圧送管等の管路に使用する管路洗浄用移動体及び管路の洗浄方法に関する。
【背景技術】
【０００２】
コンクリート、モルタル、セメントミルク、薬液注入用固化材等の時間の経過とともに固化する材料を圧送管を用いて圧送した後、圧送管内にコンクリート等が残存していると、管内でコンクリート等が凝固し閉塞するおそれがあることから、コンクリート等の圧送が終了する毎に圧送管路の洗浄が行われている。
【０００３】
この圧送管路の洗浄方法には、圧送管路の上流側よりスポンジ等の管路洗浄用移動体を挿入し、この管路洗浄用移動体を洗浄水等によって圧送することにより、圧送管路内のコンクリート等を管路洗浄用移動体で下流側端部開口より押し出すとともに、洗浄水によって管路内を洗浄するものが知られている（例えば、特許文献１を参照）。
【０００４】
しかしながら、管路洗浄に使用されるスポンジ等の管路洗浄用移動体は、配管の曲がり、接続部の段差又は管内の残留物等による抵抗によって洗浄中に管路の途中で詰まる場合がある。
【０００５】
その場合、管路内の状態を目視で確認することができないため、スポンジ等の管路洗浄用移動体が詰まった位置を特定するには、管路を構成する配管を順次解体したり、配管を叩いて打音により位置を特定したりしていた。
【先行技術文献】
【特許文献】
【０００６】
【特許文献１】特開平０５  −７８５６号公報
【発明の概要】
【発明が解決しようとする課題】
【０００７】
しかしながら、上述の如き従来の位置特定方法では、管路長が長い場合や管路に容易に近づけない個所の場合、位置の特定に時間がかかり、時間の経過とともに材料が固化し、最悪の場合、管路が閉塞して使用不能となり配管の交換が必要となるおそれがあった。
【０００８】
そこで、本発明は、このような従来の問題に鑑み、スポンジ等の管路洗浄用移動体が詰まった位置を容易に特定することができる管路洗浄用移動体及び管路の洗浄方法の提供を目的としてなされたものである。
【課題を解決するための手段】
【０００９】
上述の如き従来の問題を解決するための請求項1に記載の発明の特徴は、管路内を移動し、前記管路内の残留物を管路の端部開口から押し出すための管路洗浄用移動体において、移動体本体内に音又は振動を発生させる発信手段を備えている管路洗浄用移動体にある。
【００１０】
請求項２に記載の発明の特徴は、請求項１の構成に加え、移動体本体内にカプセルを備え、該カプセルには、前記発信手段と、該発信手段を駆動させる駆動電源が収容されていることにある。
【００１１】
請求項３に記載の発明の特徴は、管路内に挿入した管路洗浄用移動体を移動させ、前記管路内の残留物を前記管路洗浄用移動体で管路の端部開口から押し出す管路の洗浄方法において、前記管路洗浄用移動体に音又は振動を発生させる発信手段を内蔵し、該発信手段より発せられた音又は振動によって前記管路内の前記管路洗浄用移動体の位置を検知できるようにした管路の洗浄方法にある。
【発明の効果】
【００１２】
本発明に係る管路洗浄用移動体は、請求項１の構成を具備することによって、管路洗浄用移動体が発する音又は振動で目視が不可能な管路内における位置を簡易な装置によって容易に特定することができる。
【００１３】
また、本発明において、請求項２の構成を具備することによって、音源や振動源からなる発信手段とそれを駆動させる電源とを防水・防圧した状態で収容することができ、管路内に電源供給のための配線を必要とせず、管路内を好適に移動することができる。
【００１４】
また、本発明における管路の洗浄方法では、管路洗浄用移動体によって管路内を洗浄することができるとともに、万が一管路内の残留物等によって管路洗浄用移動体が詰まった場合にも、その位置を容易に特定することができ、残留物の硬化による管路の閉塞を未然に防ぐことができる。
【図面の簡単な説明】
【００１５】
【図１】（ａ）は本発明に係る管路洗浄用移動体の一例を示す正面図、（ｂ）は縦断面図である。
【図２】図１中のカプセル及びその内部の構成を示す概略図である。
【図３】本発明に係る管路の洗浄方法の状態を示す断面図である。
【発明を実施するための形態】
【００１６】
次に、本発明に係る管路洗浄用移動体及び管路の洗浄方法の実施態様を図１〜図３に示した実施例に基づいて説明する。図中符号１は、コンクリート圧送管等の管路、符号２は管路１内を移動する管路洗浄用移動体である。
【００１７】
管路１は、例えば、コンクリート、モルタル、セメントミルク、薬液注入用固化材等の時間の経過とともに固化する材料を移送するためのものである。
【００１８】
管路洗浄用移動体２は、図１に示すように、管路１内に挿入される移動体本体３と、移動体本体３内に埋設されたカプセル４と、カプセル４内に収容された発信手段５とを備え、発信手段５より音を発信しながら管路１内を移動するようになっている。
【００１９】
移動体本体３は、スポンジやウレタン等の弾性体によって円柱状、球状、卵型状等に形成され、管路１内に収縮した状態で挿入され、管路１内を移動することにより管路１内に残存した残留物６を押し出すようになっている。
【００２０】
カプセル４は、図２に示すように、プラスチック等の一定の強度を有する材料によって中空の円柱状、球状、卵型状、直方体状に形成され、内部が防水・防圧されている。
【００２１】
また、このカプセル４は、半割り状の一対のカプセル半体７，８により構成され、一方のカプセル半体７の開口部に形成された雄ネジ部９ａと、他方のカプセル半体８の開口部内側に形成された雌ねじ部９ｂとが互いに螺合することによって内部が防水・防圧された状態で結合されるようになっている。尚、両カプセル半体７，８の結合手段は、本実施例に限定されず、例えば、各カプセル半体７，８の連結側開口縁部にフランジを備え、両フランジをボルト等によって連結する構造であってもよく、両カプセル半体７，８の開口縁部を互いに接着材又は溶接等によって接着してもよい。
【００２２】
カプセル４内には、音又は振動を発する発信手段５と、発信手段５に動力源を供給するバッテリー等からなる電源１０とを備え、外部からの電源供給を必要としないようになっている。尚、図中符号１１は発信手段５及び電源１０が実装される基板、符号１２は電源供給をオン・オフするためのスイッチである。
【００２３】
発信手段５は、稼働時に音波又は振動によって管路１外の作業員が集音装置等を使用せずに聞き取り可能な音を発生するようになっており、例えば、ブザー等のスピーカー内蔵の音源でもよく、モータの回転によって振動する振動モータ等の振動源でもよく、或いは音源と振動源とを併用してよい。
【００２４】
このような管路洗浄用移動体２を使用した管路１の洗浄方法は、管路１に管路洗浄用移動体２を挿入するとともに、管路１の上流側に接続させた洗浄水圧送ポンプ（特に図示せず）を作動させ、管路洗浄用移動体２の上流側より洗浄水ｗを高圧で供給する。
【００２５】
その際、図３（ａ）に示すように、洗浄水ｗの水圧により管路洗浄用移動体２が管路１内を移動し、管路１内に残存するコンクリート等の残留物６を管路洗浄用移動体２で下流側端部開口側に押し出すとともに、圧送管路１内の管路洗浄用移動体２より上流側が洗浄水ｗによって洗浄される。
【００２６】
管路洗浄用移動体２が管路１を移動する際には、発信手段５から常に音波ｓが発信されており、管路１外に発信された音波ｓで管路洗浄用移動体２の位置を管路外から作業員が特定できるようになっている。
【００２７】
また、図３（ｂ）に示すように、配管の曲がり、接続部の段差又は管内の残留物６等による抵抗によって洗浄中に管路１の途中で詰まった場合には、その詰まった位置で発信手段５から音波ｓを発信し続けるので、その音波ｓで管路外から管路洗浄用移動体２の位置及び管路１の閉塞位置を特定することができる。
【００２８】
尚、上述の実施例では、管路洗浄用移動体４の上流側より洗浄水ｗを供給し、洗浄水ｗの圧力によって管路洗浄用移動体４を移動させる例について説明したが、管路洗浄用移動体４を移動させるための駆動流体に圧縮空気等を用いてもよい。
【符号の説明】
【００２９】
１  管路
２  管路洗浄用移動体
３  移動体本体
４  カプセル
５  発信手段
６  残留物
７，８  カプセル半体
１０  電源
１１  基板
１２  スイッチ
【図１】
2018161610.tif 000003
【図２】
2018161610.tif 000004
【図３】
2018161610.tif 000005